(57)【要約】      （修正有）【課題】トラクターのような実用車両の外部に品物を取り付けるための取り付けアセンブリに関する。【解決手段】取り付け又は支持アセンブリ１６は、ウェイト１４の外側、好ましくはアウトボードに位置する道具箱のような品物２０を支持する。取り付けアセンブリ１６は、一対のブラケット３４，３６及びプレート２６を含む。各ブラケット３４，３６は、プレート２６に結合される前端部と、ウェイトサポート１２に結合される後端部４２と、本体４６と、を有する。後端部４２は、ウェイトサポート１２に形成されるへり４７に掛けられるフック４３を形成する。本体４６は、バラストウェイト１４の少なくとも一つに隣接して配置されるように構成される。代替的に、各ブラケット３４，３６は隣接する対のバラストウェイト１４の間に挟み込まれ得、又は少数のウェイト１４がウェイトサポート１２に取り付けられる場合にはそこから離れて設けられ得る。【選択図】図１
2015048072.tif 000002
【特許請求の範囲】
【請求項１】
車両に品物を取り付けるための取り付けアセンブリであって、前記車両はその端部に水平方向に延在するウェイトサポートを有し、前記ウェイトサポートは複数のバラストウェイトをその上に支持するように構成される、取り付けアセンブリにおいて、
前記ウェイトサポートから離れて設けられるプレートと、
前記プレートに取り付けられる結合部材と、
一対のブラケットであって、各ブラケットが、前記結合部材に結合される第１端部と前記ウェイトサポートに結合される第２端部とを有し、各ブラケットは、前記ブラケット間の間隔が調節可能なように前記結合部材に移動可能に結合される、一対のブラケットと、を有する、取り付けアセンブリ。
【請求項２】
請求項１に記載された取り付けアセンブリにおいて、
前記結合部材は、前記プレートから離れて設けられ、各ブラケットは、前記結合部材に摺動可能に係合する、取り付けアセンブリ。
【請求項３】
請求項１に記載された取り付けアセンブリにおいて、
前記結合部材は、ロッドを有する、取り付けアセンブリ。
【請求項４】
請求項１に記載された取り付けアセンブリにおいて、
前記品物は、前記プレートの両側に接合される第１及び第２の側壁を有し、
第１取り付け穴が前記第１の側壁に形成され、第２取り付け穴が前記第２の側壁に形成され、第１ブラケット穴が前記第１ブラケットに形成され、第２ブラケット穴が前記第２ブラケットに形成され、
ロッドが、前記側壁を前記ブラケットに取り付けるために、前記穴の全てを通って延在する、取り付けアセンブリ。
【請求項５】
請求項４に記載された取り付けアセンブリにおいて、
各ブラケットは、前記ブラケットの下前部から横方向に延在するフランジを含み、前記フランジは、前記端部壁の下部に係合する、取り付けアセンブリ。
【請求項６】
請求項４に記載された取り付けアセンブリにおいて、
各ブラケットは、前記側壁の対応する一つの後端部から内側に離れて設けられる前端部を含む、取り付けアセンブリ。
【請求項７】
請求項１に記載された取り付けアセンブリにおいて、
前記結合部材は、前記プレートから離れて設けられる、取り付けアセンブリ。
【請求項８】
請求項１に記載された取り付けアセンブリにおいて、
前記結合部材は、前記ブラケットに形成された穴を通って延在する、取り付けアセンブリ。
【請求項９】
請求項１に記載された取り付けアセンブリにおいて、
前記品物は、前記プレートの両側に接合される第１及び第２の側壁を有し、
前記結合部材は、前記側壁に形成された穴を通って延在する、取り付けアセンブリ。
【請求項１０】
請求項１に記載された取り付けアセンブリにおいて、
各ブラケットは、前記バラストウェイトの少なくとも一つに隣接するように構成される本体を有する、取り付けアセンブリ。
【請求項１１】
請求項１に記載された取り付けアセンブリにおいて、
前記品物は、前記プレートの両側に接合される第１及び第２の側壁を有し、
各ブラケット前端部は、前記側壁の対応する一つから内側に離れて設けられる、取り付けアセンブリ。
【請求項１２】
請求項１に記載された取り付けアセンブリにおいて、
前記ブラケットの少なくとも一つの部分が、隣接した対のバラストウェイトの間に挟まれる、取り付けアセンブリ。
【請求項１３】
請求項１に記載された取り付けアセンブリにおいて、
前記品物は、前記プレートの両側に接合される第１及び第２の側壁を有し、
第１取り付け穴が前記第１の側壁に形成され、第２取り付け穴が前記第２の側壁に形成され、前記結合部材が前記取り付け穴を通って延在し、
前記ブラケットは、前記結合部材に摺動可能に係合する、取り付けアセンブリ。
【請求項１４】
請求項１に記載された取り付けアセンブリにおいて、
取り付けフランジが各ブラケットに取り付けられ、前記品物が前記取り付けフランジに取り付けられる、取り付けアセンブリ。
【請求項１５】
請求項１に記載された取り付けアセンブリにおいて、
取り付けフランジが各ブラケットの上縁に取り付けられ、前記品物が前記取り付けフランジの上面に取り付けられる、取り付けアセンブリ。
【請求項１６】
車両に品物を取り付けるための取り付けアセンブリであって、前記車両はその端部に水平方向に延在するウェイトサポートを有し、前記ウェイトサポートは複数のバラストウェイトをその上に支持するように構成される、取り付けアセンブリにおいて、
前記ウェイトサポートから離れて設けられるプレートと、
前記プレートに取り付けられる結合部材と、
一対のブラケットであって、各ブラケットが、前記結合部材に結合される第１端部と前記ウェイトサポートに結合される第２端部とを有し、各ブラケットは、前記ブラケット間の間隔が調節可能なように前記結合部材に移動可能に結合される、一対のブラケットと、
前記品物が、コンテナを形成する複数の壁を有し、前記壁の一つが前記プレートにより形成され、
取り付けフランジが、各ブラケットの上縁に取り付けられ、さらなる品物が前記取り付けフランジの上面に取り付けられる、取り付けアセンブリ。
【発明の詳細な説明】
【技術分野】
【０００１】
本発明は、トラクターのような実用車両の外部に品物を取り付けるための取り付けアセンブリに関する。
【背景技術】
【０００２】
貯蔵容器のような取り外し可能な品物は、しばしば実用車両の外部に取り付けられる。そのような品物は、車両のメンテナンスのために必要な道具の保管のため、及び設置作業や小規模修理のための道具の保管のための道具箱として使用され得る。例えば、ジョンディア６０００シリーズのトラクターのステップの近くにブラケットを取り付けること、及びそこに道具箱を取り付けることが知られている。これらの保管品物は、車両の外側に取り付けられるので、及び利用可能なスペースが小さいので、公知の道具箱は相対的に小さく、ごくわずかの道具しか保管できない。実用車両が通常長期間置かれる場所から離れるとき、道具箱に余地がないので、携帯すべき多くの道具を道具箱に収容することができず、他の場所に収容しなくてはならない。そのような道具は、チェーン、取付機器、スペアパーツ、大きいハンマー、保護衣、及びゴム長靴を含み得る。
【０００３】
近代の農業トラクターは、昔ながらの道具箱が通常乗ることになるスペースの大部分を利用している。顧客は、多くの道具及びログチェーンのような大きい道具を運ぶためのより大きな道具箱を求めている。ある前方取り付け道具箱の設計は、スーツケースウェイトのために通常確保されているスペースをとる。これは、適切にトラクターを安定させるトラクターのオペレータの能力を制限する。
【０００４】
Ｋ＆Ｍマニュファクチャリングは、多くの種類のウェイト又はバラストボックスを提供する。いくつかのＫ＆Ｍウェイトボックスのモデルは、バラストウェイトの前方に取り付けられ、バラストウェイトに結合されたブラケットにより支持される。いくつかのＫ＆Ｍウェイトボックスのモデルは、バラストウェイトに代えて取り付けられ、バラストウェイト支持アームに接続されたブラケットにより支持される。これらの全ての設計において、ブラケットは箱に固定して取り付けられ、箱間の間隔は調節できない。
【０００５】
２００３年にＴｅｉｃｈに発行され、本出願人の譲受人に譲り受けられた米国特許６，５９５，３９７号は、バラストウェイトの前に取り付けられる品物を示している。取り付けバーが、品物の後壁からバラストウェイトに形成された開口凹部に突出する。取り付けバーは、バラストウェイトの孔及び取り付けバーの孔に垂直に延びるピンによりバラストウェイトに結合される。その結果、少なくとも一部のバラストウェイトが、取り付けバーを受けて結合するように変形され、又は構成される。
【発明の概要】
【０００６】
本開示の一態様によれば、取り付けアセンブリが品物を車両に取り付けるために設けられる。車両は、その前部に水平方向に延在するウェイトサポートを有する。ウェイトサポートは、その上に複数のバラストウェイトを支持するように構成される。品物は、複数の壁を含むことができ、これはウェイトサポートに対面する後端壁を含む。品物は、棚、又は光モジュールのような部品であり得る。品物取り付けアセンブリは、結合部材と、一対のブラケットを含む。結合部材は、端壁に取り付けられる。各ブラケットは、結合部材に取り付けられる前端と、ウェイトサポートに結合される後端を有する。各ブラケットは、ブラケット間の間隔を調節可能なように、結合部材に移動可能に結合される。この取り付けアセンブリは、トラクターの前部のウェイトサポートに前部取り付け道具箱を取り付けることができ、好ましくは最低で４つの、最大でラックにいっぱいの「スーツケース」型のバラストウェイトを備え得る。取り付けブラケットは、スーツケースウェイトが取り付けられる方法と同様の方法で、ウェイトサポートに取り付けられる。これらのブラケットは、品物の後部に結合され、ウェイトの前方に品物を保持する。
【図面の簡単な説明】
【０００７】
【図１】図１は、発明を具体化する品物取り付けアセンブリの左上側の斜視図である。
【図２】図２は、図１と類似の品物取り付けアセンブリの斜視図であるが、支持ブラケット間のウェイトが少ない。
【図３】図３は、明瞭にするためにウェイト支持バーが取り除かれた図１の品物取り付けアセンブリの右下側からの斜視図である。
【図４】図４は、代替の品物取り付けアセンブリの斜視図である。
【図５】図５は、図４の品物取り付けアセンブリの他の斜視図である。
【発明を実施するための形態】
【０００８】
図１を参照すると、従来の水平方向且つ横方向に延在するウェイトサポート又はウェイトバー１２が、トラクター（図示せず）の前部又は前端部のような車両の端部に取り付けられるように構成される。ウェイトサポート１２は、複数の従来のバラストウェイト１４を支持する。
【０００９】
取り付けアセンブリ１６は、ウェイトサポート１２に取り付けられる。取り付け又は支持アセンブリ１６は、ウェイト１４の外側、好ましくはアウトボードに位置する道具箱のような品物２０を支持する。取り付けアセンブリ１６は、一対のブラケット３４，３６及びプレート２６を含む。各ブラケット３４，３６は、プレート２６に結合される前端部３８，４０と、ウェイトサポート１２に結合される後端部４２，４４と、本体４６，４８と、を有する。後端部４２，４４は、ウェイトサポート１２に形成されるへり４７に掛けられるフック４３，４５を形成する。本体４６，４８は、バラストウェイト１４の少なくとも一つに隣接して配置されるように構成される。代替的に、（図示しないが）各ブラケット３４，３６は隣接する対のバラストウェイト１４の間に挟み込まれ得、又は少数のウェイト１４がウェイトサポート１２に取り付けられる場合にはそこから離れて設けられ得る。
【００１０】
図２及び図３に最もよく示されるように、品物２０は、底壁２２と、前端壁又はドア２４と、プレート２６により形成される後端壁と、第１側壁２８と、第２側壁３０と、蓋３２と、を含む。蓋３２は、プレート２６と壁２４及び２８の上縁を覆い且つ取り囲むへり３３を有する。側壁２８及び３０は、曲がって湾曲角部２９及び３１を形成し、前壁２４の対応する側部と結合する。蓋３２の左後ろの角は、側壁２８の後上角部に枢動可能に結合され、蓋３２の右後ろの角は、側壁３０の後上角部に枢動可能に結合される。プレート２６は、ウェイトサポート１２に対面する。
【００１１】
図３に最もよく示されるように、各ブラケット前端部３８及び４０は、品物側壁２８，３０の対応する一つから内側に間隔を有する。第１側壁取り付け穴５０が第１側壁２８に形成され、第２側壁取り付け穴５２が第２側壁３０に形成される。第１ブラケット穴５４が第１ブラケット３４に形成され、第２ブラケット穴５６が第２ブラケット３６に形成される。結合部材又はロッド５８が水平方向にこれらの穴を通って延在し、側壁２８及び３０したがって品物２０をブラケット３４及び３６に取り付け又は結合する。各ブラケット３４，３６は、本体４６，４８の下前部分から互いに向かって側方に延在するフランジ６０，６２を含む。各フランジ６０，６２は、プレート２６の下部に対抗し又は係合する。結合部材又はロッド５８は、プレート２６に結合し、プレート２６から間隔を有し、ブラケット３４及び３６はロッド５８と摺動可能に係合し、ブラケット３４及び３６間の間隔は調節され得る。この調節可能性のため、異なる数のウェイト１４が間隔を有する支持プレート３４及び３６の間に配置され得る。図２に最もよく示されるように、ブラケット３４，３６は、より少ない、例えば４つのそれらに挟まれたバラストウェイト１４とともに、より共に近づいて配置され得る。
【００１２】
図４及び図５を参照すると、各ブラケット３４及び３６は、その上縁に取り付けられる対応する支持フランジ７０，７２を同様に含み得る。支持フランジ７０は、鉛直脚部７４と、脚部７４の上端から水平方向であって支持フランジ７２に向かって延在する水平脚部７６を有する。支持フランジ７２は、鉛直脚部７８と、脚部７８の上端から水平方向であって支持フランジ７０に向かって延在する水平脚部８０を有する。様々な品物又はアイテムが、フランジ７０及び７２により取り付けられ、又は支持され得る。例えば、照明ユニット８２及び８４がそこに取り付けられ得る。代替的に、棚部材（図示せず）が、フランジ７０及び７２に取り付けられ得る。代替的に、フランジ７０及び７２を共に品物又は道具箱２０に結合する取り付けアセンブリが形成され得る。
【００１３】
結果は、標準の非変形バラストウェイト１４に使用され得る品物取り付け又は支持アセンブリである。この取り付けアセンブリは、前方取り付けスーツケースウェイトが取り付けられた農業用トラクターにおいて前方取り付け道具箱を支持するために使用され得る。取り付けアセンブリは、道具箱以外のアイテムを取り付けるために使用され得る。例えば、この取り付けアセンブリは、小さな液体タンク又は他のアクセサリーを取り付けるために使用され得る。この取り付けアセンブリは、様々な部品及びアクセサリーのための取り付け穴を有し得る鉛直プレートを取り付けるためにも使用され得る。
【００１４】
本開示は、図面及び上述した説明において詳細に示され且つ説明されたが、このような図面及び記載は、例として考えられるべきであり、特性を制限するものではなく、実例の実施形態が示され且つ説明されており、本開示の思想の範囲内の全ての変形や修正が保護されるべきであることが理解される。本開示の代替的な実施形態は記載された全ての特徴を含まなくてもよいが、それでもそのような特徴の長所の少なくとも一部の利益を享受することが分かるであろう。当業者は、本開示の一以上の特徴を組み込み、添付の特許請求の範囲に定義される本発明の思想及び範囲に含まれる、自身の実装を容易に考案することができる。
【図１】
2015048072.tif 000003
【図２】
2015048072.tif 000004
【図３】
2015048072.tif 000005
【図４】
2015048072.tif 000006
【図５】
2015048072.tif 000007
【外国語明細書】
2015048072000001.pdf